(57)【特許請求の範囲】
【請求項１】
撮影光学系の一部であり該撮影光学系の光軸を変化させて振れを補正するブレ補正レンズ部と、
前記ブレ補正レンズ部に隣接して配置されており、他のレンズ群とは独立して光軸方向に移動可能な移動レンズ部と
を有する防振カメラであって、
前記移動レンズ部を前記ブレ補正レンズ部に当接することにより、そのブレ補正レンズ部をロックするブレ補正レンズロック装置を設けたこと
を特徴とする防振カメラ。
【請求項２】
請求項１に記載の防振カメラにおいて、
前記移動レンズ部は、フォーカスレンズであることを特徴とする防振カメラ。
【請求項３】
請求項１〜請求項２のいずれか１項に記載の防振カメラにおいて、
前記ブレ補正レンズロック装置は、電源スイッチのオフに連動して、ロックを行なうこと
を特徴とする防振カメラ。
【請求項４】
請求項１〜請求項２のいずれか１項に記載の防振カメラにおいて、
前記ブレ補正レンズロック装置は、撮影レンズバリアの閉動作に連動して、ロックを行なうこと
を特徴とする防振カメラ。
【請求項５】
請求項１〜請求項２のいずれか１項に記載の防振カメラにおいて、
前記ブレ補正レンズロック装置は、シャッタレリーズ動作の終了に連動して、ロックを行なうこと
を特徴とする防振カメラ。
【請求項６】
請求項１〜請求項２のいずれか１項に記載の防振カメラにおいて、
前記ブレ補正レンズロック装置は、フォーカスレンズのリターン動作に連動して、ロックを行なうこと
を特徴とする防振カメラ。
【請求項７】
請求項１〜請求項６のいずれか１項に記載の防振カメラにおいて、
前記ブレ補正レンズロック装置は、ロック前に前記ブレ補正レンズ部を防振基準位置に戻すこと
を特徴とする防振カメラ。
【請求項８】
請求項１〜請求項７のいずれか１項に記載の防振カメラにおいて、
前記ブレ補正レンズロック装置は、前記移動レンズ部と前記ブレ補正レンズ部とが当接してから、レンズ退避位置に戻ること
を特徴とする防振カメラ。
【請求項９】
請求項１〜請求項７のいずれか１項に記載の防振カメラにおいて、
前記ブレ補正レンズロック装置は、前記移動レンズ部と前記ブレ補正レンズ部とが当接しながら、レンズ退避位置に戻ること
を特徴とする防振カメラ。
【請求項１０】
請求項１〜請求項７のいずれか１項に記載の防振カメラにおいて、
前記ブレ補正レンズロック装置は、前記移動レンズ部と前記ブレ補正レンズ部とがレンズ退避位置に戻ってから、当接すること
を特徴とする防振カメラ。
【請求項１１】
請求項１〜請求項１０のいずれか１項に記載の防振カメラにおいて、
前記ブレ補正レンズロック装置は、電源スイッチのオンに連動して、ロック解除を行なうこと
を特徴とする防振カメラ。
【請求項１２】
請求項１〜請求項１０のいずれか１項に記載の防振カメラにおいて、
前記ブレ補正レンズロック装置は、撮影レンズバリアの開動作に連動して、ロック解除を行なうこと
を特徴とする防振カメラ。
【請求項１３】
請求項１〜請求項１０のいずれか１項に記載の防振カメラにおいて、
前記ブレ補正レンズロック装置は、撮影準備開始の操作に連動して、ロック解除を行なうこと
を特徴とする防振カメラ。
【請求項１４】
請求項１〜請求項１０のいずれか１項に記載の防振カメラにおいて、
前記ブレ補正レンズロック装置は、シャッタレリーズ動作に連動して、ロック解除を行なうこと
を特徴とする防振カメラ。
【請求項１５】
請求項１〜請求項１４のいずれか１項に記載の防振カメラにおいて、
前記ブレ補正レンズロック装置は、ロック位置を保持したまま、ロック解除を行なうこと
を特徴とする防振カメラ。
【発明の詳細な説明】
【０００１】
【産業上の利用分野】
本発明は、防振光学系の光軸を移動させて、手振れを防止する防振カメラに関し、特に、その防振光学系を電磁的に駆動するタイプの防振カメラに関するものである。
【０００２】
【従来の技術】
従来、この種の防振カメラとして、例えば、補正光学手段を所定の位置にロック或いはそのロック状態を解除するロック手段を、その補正光学手段を含む光学系を保持する鏡筒の沈胴状態と撮影準備状態間の移動動作に連動させて、作動させる構成が開示されている（特開平５−１００２８０号等）。
【０００３】
【発明が解決しようとする課題】
しかし、前述した従来の防振カメラでは、沈胴動作をしないと防振光学系のロックができないので、撮影状態に応じて確実にロックすることができなかった。また、ロック手段として、新たなアクチュエーターを使用しないと防振光学系のロックができないので、構造が複雑となり、大型化するとともに、コストアップの原因となっていた。
【０００４】
本発明の目的は、新たなアクチュエータ等を設けることなく、特別な操作を行なうことなく、防振光学系をロック及びロック解除することができる防振カメラを提供することである。
【０００５】
【課題を解決するための手段】
前記課題を解決するために、請求項１の発明は、撮影光学系の一部であり該撮影光学系の光軸を変化させて振れを補正するブレ補正レンズ部と、前記ブレ補正レンズ部に隣接して配置されており、他のレンズ群とは独立して光軸方向に移動可能な移動レンズ部とを有する防振カメラであって、前記移動レンズ部を前記ブレ補正レンズ部に当接することにより、そのブレ補正レンズ部をロックするブレ補正レンズロック装置を設けたことを特徴とする。
【０００７】
請求項２の発明は、請求項１に記載の防振カメラにおいて、前記移動レンズ部は、フォーカスレンズであることを特徴とする。
【０００８】
請求項３の発明は、請求項１〜請求項２のいずれか１項に記載の防振カメラにおいて、前記ブレ補正レンズロック装置は、電源スイッチのオフに連動して、ロックを行なうことを特徴とする。
【０００９】
請求項４の発明は、請求項１〜請求項２のいずれか１項に記載の防振カメラにおいて、前記ブレ補正レンズロック装置は、撮影レンズバリアの閉動作に連動して、ロックを行なうことを特徴とする。
【００１０】
請求項５の発明は、請求項１〜請求項２のいずれか１項に記載の防振カメラにおいて、前記ブレ補正レンズロック装置は、シャッタレリーズ動作の終了に連動して、ロックを行なうことを特徴とする。
【００１１】
請求項６の発明は、請求項１〜請求項２のいずれか１項に記載の防振カメラにおいて、前記ブレ補正レンズロック装置は、フォーカスレンズのリターン動作に連動して、ロックを行なうことを特徴とする。
【００１２】
請求項７の発明は、請求項１〜請求項６のいずれか１項に記載の防振カメラにおいて、前記ブレ補正レンズロック装置は、ロック前に前記ブレ補正レンズ部を防振基準位置に戻すことを特徴とする。
【００１３】
請求項８の発明は、請求項１〜請求項７のいずれか１項に記載の防振カメラにおいて、前記ブレ補正レンズロック装置は、前記移動レンズ部と前記ブレ補正レンズ部とが当接してから、レンズ退避位置に戻ることを特徴とする。
【００１４】
請求項９の発明は、請求項１〜請求項７のいずれか１項に記載の防振カメラにおいて、前記ブレ補正レンズロック装置は、前記移動レンズ部と前記ブレ補正レンズ部とが当接しながら、レンズ退避位置に戻ることを特徴とする。
【００１５】
請求項１０の発明は、請求項１〜請求項７のいずれか１項に記載の防振カメラにおいて、前記ブレ補正レンズロック装置は、前記移動レンズ部と前記ブレ補正レンズ部とがレンズ退避位置に戻ってから、当接することを特徴とする。
【００１６】
請求項１１の発明は、請求項１〜請求項１０のいずれか１項に記載の防振カメラにおいて、前記ブレ補正レンズロック装置は、電源スイッチのオンに連動して、ロック解除を行なうことを特徴とする。請求項１２の発明は、請求項１〜請求項１０のいずれか１項に記載の防振カメラにおいて、前記ブレ補正レンズロック装置は、撮影レンズバリアの開動作に連動して、ロック解除を行なうことを特徴とする。
【００１７】
請求項１３の発明は、請求項１〜請求項１０のいずれか１項に記載の防振カメラにおいて、前記ブレ補正レンズロック装置は、撮影準備開始の操作に連動して、ロック解除を行なうことを特徴とする。
【００１８】
請求項１４の発明は、請求項１〜請求項１０のいずれか１項に記載の防振カメラにおいて、前記ブレ補正レンズロック装置は、シャッタレリーズ動作に連動して、ロック解除を行なうことを特徴とする。請求項１５の発明は、請求項１〜請求項１４のいずれか１項に記載の防振カメラにおいて、前記ブレ補正レンズロック装置は、ロック位置を保持したまま、ロック解除を行なうことを特徴とする。
【００１９】
【作用】
本発明においては、フォーカスレンズ等の移動レンズを移動させ、ブレ補正レンズに当接させることにより、そのブレ補正レンズを動かないようにロックするように構成したので、撮影状態に応じて確実にロックすることができ、しかも、新たなアクチュエーターを設ける必要がない。
【００２０】
【実施例】
（第１実施例）
以下、図面などを参照しながら、実施例をあげて、さらに詳しく説明する。
図１，図２は、本発明による防振カメラの第１実施例を適用した鏡筒一体型のカメラ（ズームカメラ）を示す側面断面図であり、図１は、カメラが非撮影状態であり、レンズ鏡筒が沈胴してブレ補正レンズがロックされた状態を、図２は、カメラの電源がオンしてレンズ鏡筒が繰り出し撮影状態となり、ブレ補正レンズのロックが解除された状態をそれぞれ示した図である。
【００２１】
カメラ本体１には、固定鏡筒２が固定されており、この固定鏡筒２の周面には、光軸方向の直進溝２ａ、２ｂが形成されている。固定鏡筒２の外周面には、カム筒３が回転可能に挿入されており、リング４により抜け止めされている。カム筒３の外周面には、ギア部３ｄが形成されており、このギア部３ｄには、ギアＧＲを介して、ズームモータ７７（図４）の回転が伝達され、これにより、カム筒３が回転する。また、カム筒３の周面には、カム溝３ａ，３ｂ，３ｃが形成されている。
【００２２】
固定鏡筒２の内周面側には、前群レンズＬ１を保持する鏡筒４５が挿入されており、その外周面に植設されたカムフォロア４５ａが直進溝２ａを貫通して、カム溝３ａに係合されている。鏡筒４５の前部には、撮影レンズを保護する一対のバリア４６が設けられており、このバリア４６は、作動レバー４７により開閉される。
なお、本実施例では、バリア４６は、前述したように、作動レバー４７を操作することにより、手動によって開閉するようにしてある。しかし、本発明は、これに限定されるものではなく、後述する電源スイッチＳＷ５のオンに応じて、自動的に（モータを含む不図示のバリア駆動機構によって）バリア４６を開き、また、そのスイッチＳＷ５のオフに応じて、自動的に（前記バリア駆動機構によって）バリア４６を閉じるようにしてもよい。
【００２３】
固定鏡筒２の内周面側には、第２群レンズ枠５が挿入されており、この第２群レンズ枠５には、ブレ補正レンズＬ３と、ブレ補正レンズＬ３を駆動する駆動機と、シャッタ４２と、シャッタ４２内に固定されたレンズＬ２とが保持されている。
【００２４】
レンズ枠６は、図３に示すように、ブレ補正レンズ駆動機構のブレ補正レンズＬ３を保持している。このレンズ枠６には、Ｙ方向に案内する案内軸７ａ，７ｂが固定されており、Ｘステージ６０の穴６０ａと６０ｂに案内軸方向に自由に移動可能に取り付られている。案内軸７ａ，７ｂの外周には、マグネット８ａ，８ｂが取り付られ、その外周を囲むようにコイル９ａ，９ｂがＸステージ６０に固定されている。
【００２５】
ステージ６０には、Ｘ軸方向に案内する案内軸６１ａと６１ｂが固定されており、２群レンズ枠５の穴５ｄと５ｅに案内軸方向に自由に移動可能に取付られている。案内軸６１ａと６１ｂの外周には、マグネット６２ａ，６２ｂが取り付られており、その外周を囲むようにコイル６３ａ，６３ｂが２群レンズ枠５に固定されている。
【００２６】
図４は、本実施例による防振カメラのブレ補正機構を示す断面図である。
レンズ枠６と２群レンズ枠５の間には、綱球６４ａ〜６４ｃ（図３参照）が設けられており、引張りバネ６５によってレンズ枠６を２群レンズ枠５へ押し付けている。２群レンズ枠５には、ＬＥＤ６６とレンズ６７が固定されており、レンズ枠６上のＰＳＤ素子６８上に点光源像を結像させ、レンズ枠６の移動量を検出することができ、これらにより、ブレ補正レンズＬ３の補正レンズ位置検出器２３（図５参照）を構成する。
【００２７】
コイル９ａ，９ｂに通電することにより、ブレ補正レンズＬ３をＹ方向へ駆動させ、補正レンズ位置検出器２３からの位置信号にもとづいて、コイル９ａ，９ｂへの通電を制御し、ブレ補正レンズＬ３を所定位置へ駆動する。ブレ補正レンズＬ３は、コイル６３ａ，６３ｂへの通電により、同様にＸ方向に駆動する。
従って、カメラ不使用時には、コイル９ａ，９ｂ，６３ａ，６３ｂへ通電されないので、ブレ補正レンズＬ３の光軸に垂直な方向は規制がなく、外力が加わると、メカ制限に衝突して破壊する恐れがある。
【００２８】
また、２群レンズ枠５には、図１に示すように、レンズシャッタ機構４０が一体に取り付けられている。レンズシャッタ機構４０は、絞り兼用のシャッタ羽根４１と、このシャッタ羽根４１を駆動する駆動部４２とが一体化されており、駆動部４２がビス４３により基板５１−１にねじ止めされている。また、駆動部４２には、シャッタ羽根４１を駆動するためのモータなどの電気部品４２ａが搭載されている。２群レンズ枠５の内周面側には、レンズＬ２が保持されている。ここで、基板５１−１に植設されたカムフォロア５１−１ａは、直進溝２ｂを貫通してカム溝３ｂに係合される。
【００２９】
レンズ基板５１は、固定鏡筒２の後部側に挿入されており、その内周面にヘリコイドねじ５１ａが形成され、その外周面にカムフォロア５１ｂが植設されている。このカムフォロア５１ｂは、直進溝２ｂを貫通して、カム溝３ｃに係合されている。レンズホルダ５２は、フォーカシングレンズＬ４を保持する部材であり、その外周面にヘリコイド５２ａが形成されている。このヘリコイド５２ａは、レンズ基板５１のヘリコイド５１ａに噛み合っている。
レンズホルダ５２とレンズ基板５１の間には圧縮ばね５９が挿入されており、ヘリコイド５２ａ，５１ａのガタを一方向に寄せ付けている。
【００３０】
フォーカシングモータ５３は、その出力軸にギア５３ａが一体に設けられており、そのギア５３ａは、ヘリコイド５１ａには、噛み合っている。モータ５３の回転によりレンズホルダ５２が回転される。レンズホルダ５２が回転すると、ヘリコイド５１ａ，５２ａの作用により、レンズホルダ５２、すなわちフォーカシングレンズＬ４が光軸方向に移動し、これによりフォーカシングが行われる。
【００３１】
フォーカシングレンズＬ４は、前方にロック部Ｌ４ａが形成されており、このロック部Ｌ４ａは、ブレ補正レンズＬ３のレンズホルダ６の端部６ａに当接することにより、ブレ補正レンズＬ３をロックする。
このときに、フォーカシングレンズＬ４とブレ補正レンズＬ３とは、当接してから、レンズ退避位置に戻るようにすれば、ロック時間が長く確実にロックできる。また、当接しながら、レンズ退避位置に戻るようにすれば、ロックのためのシーケンスが短くなる。さらに、レンズ退避位置に戻ってから、当接するようにすれば、ストロークが少なくてすむ。
【００３２】
図５は、本実施例に係る防振カメラの制御回路を示すブロック図である。
制御ＩＣ７１には、測光回路８１と、測距回路８２と、手振れによるカメラ振れ量を検知する手振れセンサ８３等が接続されている。
【００３３】
また、制御ＩＣ７１には、シャッタドライバ７３を介して、シャッタ駆動用の電気部品４２ａが接続されている。また、手振れ補正コイルドライバ７４を介して、Ｘ，Ｙ方向のコイル９ａ，９ｂ，６１ａ，６１ｂが接続されており、手振れ補正レンズ位置検出回路７５を介して、Ｘ，Ｙ方向の補正レンズ検出器２３（ＰＳＤ６８Ｘ，６８Ｙ，ＬＥＤ６６Ｘ，６６Ｙ）がそれぞれ接続されている。
手振れ補正レンズ位置検出回路７５は、補正レンズ検出器２３の出力に基づいて、ブレ補正レンズＬ３の移動量および移動方向を検知して、制御ＩＣ７１に入力する。
【００３４】
さらに、制御ＩＣ７１には、フォーカシングモータドライバ７６を介して、フォーカシングモータ５３が接続され、ズームモータドライバ７２を介して、ズームモータ７７が接続されている。
【００３５】
一方、制御ＩＣ７１には、レリーズ釦の半押し操作によってオンする半押しスイッチＳＷ１と、レリーズ釦の全押し操作でオンするレリーズスイッチＳＷ２と、ズーミングスイッチＳＷ３，ＳＷ４とが接続されている。
制御ＩＣ７１は、半押しスイッチＳＷ１のオンに伴って、測光回路８１および測距回路８２を作動させるとともに、測距回路８２の検出出力に基づいて、フォーカシングレンズＬ４を光軸方向に移動させて、フォーカシングを行う。また、全押しスイッチＳＷ２のオンに伴い、測光回路８１の出力に基づいて、シャッタ駆動用電気部品４２ａを駆動制御し、シャッタ羽根４１の開閉を行う。さらに、制御ＩＣ７１は、シャッタレリーズ中は、手振れセンサ８３の出力および手振れ補正レンズ位置検出回路７５の出力に基づいて、Ｘ，Ｙ方向のマグネット９ａ，９ｂ，６１ａ，６１ｂを駆動制御することにより、ブレ補正レンズＬ３を光軸と直交する方向に適宜移動させて、手振れに起因する像ブレを防止する。
【００３６】
制御ＩＣ７１は、ズーミングスイッチＳＷ３，ＳＷ４がオンされると、ズームモータ７７を駆動し、ギアＧＲを介して、カム筒３を回転させる。カム筒３の回転に伴って、各カム溝３ａ，３ｂ，３ｃが移動するので、各カムフォロア４５ａ，５ａ，５１ｂを介して、鏡筒４５，レンズ基板５１−１，５１がそれぞれ光軸方向に駆動され、これにより各レンズＬ１〜Ｌ４が所定の位置にズーミングされる。
【００３７】
また、制御ＩＣ７１には、カメラを起動する電源スイッチＳＷ５、レンズバリア４６の閉じ状態を検出するバリアスイッチＳＷ６が設けられている。制御ＩＣ７１は、電源スイッチＳＷ５がオフの場合またはバリアスイッチＳＷ６のオンの場合に、フォーカシングモータ５３が駆動され、フォーカシングレンズＬ４が前方に移動し、そのロック部Ｌ４ａがブレ補正レンズＬ３のレンズホルダ６の端部６ａに当接し、ブレ補正レンズＬ３の作動がロックされる。
説明を簡単にするために、後述するフローチャート（図６，図８）では、電源スイッチＳＷ５をオフにしたときの動作についてのみ説明し、バリア４６を開いたとき（バリアスイッチＳＷ６がオンのとき）の動作の説明は省略する。なお、バリア４６を閉じたとき（バリアスイッチＳＷ６がオフのとき）の動作は、前記フローチャート中の電源スイッチＳＷ５に関する説明を、バリアスイッチＳＷ６に置き換えて考えればよい。
【００３８】
図６，図７は、本発明による防振カメラの第１実施例の動作を説明する流れ図である。
第１実施例は、ズーム鏡筒の沈胴時にブレ補正レンズＬ３のロックを行い（図１の状態）、Ｗ端駆動時にブレ補正レンズＬ３のロック解除を行なう（図２の状態）ものである。
Ｓ１０２において、電源スイッチＭＳＷがオンすると、Ｓ１０３へ進み、バッテリーチェック（Ｂ．Ｃ．）を行い、電圧が十分であれば、Ｓ１０４へ進む。
【００３９】
Ｓ１０４において、ブレ補正レンズＬ３のセンタリング駆動を行う。この理由は、ブレ補正レンズＬ３をロック状態から鏡筒を繰り出して解放するときに、重力方向へブレ補正レンズＬ３が落ちないように、ブレ補正レンズＬ３をセンター位置に保持しておくためである。
【００４０】
Ｓ１０５において、撮影レンズ鏡筒をＷ端へ駆動する。つまり、撮影レンズ鏡筒は、ブレ補正レンズＬ３をロック状態から解放するように繰り出される。Ｗ端位置へ繰り出しを始めると、ブレ補正レンズＬ３とフォーカシングレンズＬ４の間隔が開き、フォーカシングレンズＬ４のレンズ枠５２に嵌合していたブレ補正レンズＬ３が外へ出て、ロック状態から解放される（図２参照）。
【００４１】
Ｓ１０６において、撮影レンズ鏡筒がＷ端への駆動が終了すると、ブレ補正レンズＬ３の駆動を停止する。つまり、ブレ補正レンズＬ３は、センタリング駆動動作が停止されると、重力方向のメカ制限位置で停止する。
【００４２】
Ｓ１０７において、メインスイッチ（ＳＷ５）の状態を判断し、オン状態が保持されていれば、Ｓ１０８に進み、半押しスイッチＳＷ１のオンオフを判断する。半押しスイッチＳＷ１がオンであれば、Ｓ１０９に進み、オフであれば、Ｓ１０８へ戻る。
Ｓ１０９において、手振れセンサ８３を起動させ、Ｓ１１０において、測光、測距を行った後に、Ｓ１１１において、測距結果に基づいて、フォーカシングレンズを駆動して、フォーカシング動作を行う。
【００４３】
Ｓ１１２において、シャッタレリーズスイッチの全押しスイッチＳＷ２のオンオフを判断する。全押しスイッチＳＷ２がオフであれば、Ｓ１１３に進み、半押しスイッチＳＷ１の状態を判断する。Ｓ１１３において、半押しスイッチＳＷ１のオンがホールドされている場合には、Ｓ１１４に進み、オフの場合には、Ｓ１０８に戻る。
【００４４】
Ｓ１１４において、手振れセンサ８３によって検出されたカメラのブレ量が所定値Ａ以下か否かを判断し、所定値Ａ以下の場合には、Ｓ１１５へ進み、ブレ表示ランプを点灯し、所定値より大きい場合には、Ｓ１１６へ進み、ブレ表示ランプを点滅して、それぞれＳ１１２へ戻る。
【００４５】
Ｓ１０７において、メインスイッチＳＷ５がオフの場合には、Ｓ１１７に進み、ブレ補正レンズＬ３をロック状態にするために、まず、ブレ補正レンズＬ３のセンタリング駆動を行う。ブレ補正レンズがセンタ位置へ移動すると、撮影レンズ鏡筒のリセット駆動を行い（Ｓ１１８）、沈胴駆動させることにより、フォーカシングレンズＬ４がブレ補正レンズＬ３をに嵌合してロックする（図１参照）。撮影レンズ鏡筒のリセット駆動が終了すると、ブレ補正レンズのセンタリング駆動動作を停止して（Ｓ１１９）、動作を終了する（Ｓ１２７）。
【００４６】
Ｓ１１２において、全押しスイッチＳＷ２がオンしたときには、ブレ表示ランプを消灯したのちに（Ｓ１２０）、ブレ補正手段をセンタリング駆動する（Ｓ１２１）。ついで、ブレ補正駆動を開始し（Ｓ１２２）、さらに、露出を開始して（Ｓ１２３）、シャッタが開いている間だけ、手振れセンサ８３からの検出信号にもとづいてブレ補正レンズＬ３を駆動させる。
Ｓ１２４において、露出演算結果に基づいて、シャッタを閉じ露出動作を終了する。さらに、ブレ補正駆動を停止して（Ｓ１２５）、フィルムを１コマ巻上げて（Ｓ１２６）、Ｓ１０７へ戻る。
【００４７】
以上のように本実施例によれば、フォーカシング時に光軸方向に移動するフォーカシングレンズＬ４を光軸方向の前方に移動させ、そのロック部Ｌ４ａをブレ補正レンズＬ３のレンズホルダ６の端部６ａに当接させることにより、ブレ補正レンズＬ３の作動がロックされるように構成したので、新たなアクチュエータを使用することなく、ブレ補正レンズＬ３のロックが行える。
さらに、フォーカシングレンズＬ４がレンズホルダ６の端部６ａに当接しているときには、圧縮ばね５９の作用により、適度な力で押し付けることが可能である。
また、撮影レンズ鏡筒の移動に連動して、ブレ補正レンズＬ３のロックが行われるので、カメラの不使用時にブレ補正レンズＬ３が外力等によって動いて、防振機構などが破損すること防止できる。
【００４８】
（第２実施例）
図８は、本発明による防振カメラの第２実施例を適用した鏡筒一体型のカメラ（ズームカメラ）の、フォーカシングリターン時のロック状態を示す側面断面図である。
図９，図１０は、本発明による防振カメラの第２実施例の動作を説明する流れ図である。
なお、以下に示す各実施例では、第１実施例と同様な機能を果たす部分には、同一の符号を付して、重複する図面およびその説明は適宜省略する。
第２実施例では、フォーカシング動作時に、ブレ補正レンズＬ３のロック解除（図２の状態参照）を行い、フォーカシングリターン時に、ブレ補正レンズＬ３のロック（図１の状態参照）を行なうものである。
すなわち、Ｓ１１０１において、ブレ補正レンズＬ３のセンタリングを行なった後に、Ｓ１１１において、フォーカシングを行い、ブレ補正レンズＬ３のロック解除を行なう。
【００４９】
一方、Ｓ１１３において、半押しスイッチＳＷ１がオフとなった場合には、Ｓ１１３１において、フォーカシングリターンを行い、ブレ補正レンズＬ３をロックしたのちに、Ｓ１１３２において、ブレ補正レンズＬ３の駆動をオフする。
【００５０】
また、Ｓ１２４において、露出が終了すると、Ｓ１２４１において、フォーカシングリターンを行い、ブレ補正レンズＬ３のセンタリングを行い、ブレ補正レンズＬ３をロックしたのちに、Ｓ１２５において、ブレ補正レンズＬ３の駆動をオフする。
【００５４】
（他の実施例）
以上説明した実施例に限定されず、種々の変形や変更が可能であって、それらも本発明に含まれる。
例えば、ブレ補正レンズをロックする移動レンズとして、フォーカシングレンズを例にあげたが、ズームレンズでもよい。
また、ブレ補正レンズをロック及びロック解除は、電源スイッチＳＷ５、レンズバリアスイッチＳＷ６に連動して行なうようにしてもよい。
【００５５】
【発明の効果】
以上詳しく説明したように、本発明によれば、フォーカスレンズ等の移動レンズを移動させ、ブレ補正レンズに当接させることにより、そのブレ補正レンズを動かないようにロックするように構成したので、撮影状態に応じて確実にロックすることができ、しかも、新たなアクチュエーターを設ける必要がない。
【図面の簡単な説明】
【図１】本発明による防振カメラの第１実施例を適用した鏡筒一体型のカメラ（ズームカメラ）の、非撮影状態時（レンズ沈胴時）のロック状態を示す側面断面図である。
【図２】本発明による防振カメラの第１実施例を適用した鏡筒一体型のカメラ（ズームカメラ）のロック解除状態を示す側面断面図である。
【図３】第１実施例に係る防振カメラの手振れ補正装置の詳細を示す図である。
【図４】第１実施例に係る防振カメラの手振れ補正装置の詳細を示す図である。
【図５】第１実施例に係る防振カメラの制御系の構成を示すブロック図である。
【図６】第１実施例に係る防振カメラの動作を説明する流れ図である。
【図７】第１実施例に係る防振カメラの動作を説明する流れ図である。
【図８】本発明による防振カメラの第２実施例を適用した鏡筒一体型のカメラ（ズームカメラ）の、フォーカシングロック時のロック状態を示す側面断面図である。
【図９】第２実施例に係る防振カメラの動作を説明する流れ図である。
【図１０】第２実施例に係る防振カメラの動作を説明する流れ図である。
【符号の説明】
Ｌ３  ブレ補正レンズ
Ｌ４  フォーカシングレンズ
Ｌ４ａ  ロック部
６  レンズホルダ
６ａ  端部
【図１】
0003661229.tif 000002
【図２】
0003661229.tif 000003
【図３】
0003661229.tif 000004
【図４】
0003661229.tif 000005
【図５】
0003661229.tif 000006
【図６】
0003661229.tif 000007
【図７】
0003661229.tif 000008
【図８】
0003661229.tif 000009
【図９】
0003661229.tif 000010
【図１０】
0003661229.tif 000011